(57)【要約】【課題】簡素化した構造かつ低コストで確実に塵埃捕集手段の除塵を実現すること。【解決手段】吸引風を発する電動送風機１２を有する本体と、電動送風機１２の吸気上流側に配設され、旋回気流で粗い塵埃を遠心分離する１次フィルター３０と１次フィルター３０を通過した微細塵を捕集する集塵フィルター５１とを有する集塵部１８と、集塵フィルター５１の除塵を行う除塵手段５３と、電動送風機１２が発する吸気風が集塵フィルター５１へ作用するのを防止する閉塞手段とを備え、集塵フィルター５１をプリーツ状にするとともに、除塵手段５３は突出部を有し、前記突出部が集塵フィルター５１のプリーツを順にたたいて振動を与えることで集塵フィルター５１の除塵を行なうと共に、振動を与えると同時に、前記閉塞手段が吸気を閉塞する構成としたので、簡素化した構造による確実な除塵構造を有し、高い吸い込み性能を維持する電気掃除機を提供できるようになる。【選択図】図２
2008055206.tif 000002
【特許請求の範囲】
【請求項１】
吸引風を発する電動送風機を有する本体と、前記電動送風機の吸気上流側に配設され、旋回気流で粗い塵埃を遠心分離する１次フィルターと前記１次フィルターを通過した微細塵を捕集する集塵フィルターとを有する集塵部と、前記集塵フィルターの除塵を行う除塵手段と、前記電動送風機が発する吸気風が前記集塵フィルターへ作用するのを防止する閉塞手段とを備え、前記集塵フィルターをプリーツ状にするとともに、前記除塵手段はアーム部と突出部を有し、前記突出部が前記集塵フィルターのプリーツを順にたたいて振動を与えることで前記集塵フィルターの除塵を行なうと共に、振動を与えると同時に前記閉塞手段が吸気を閉塞する構成とした電気掃除機。
【発明の詳細な説明】
【技術分野】
【０００１】
本発明は、集塵部の内面に付着した塵埃を、集塵部を加振することにより除塵する除塵手段を有する電気掃除機に関するものである。
【背景技術】
【０００２】
従来の集塵部を加振することにより除塵する除塵手段を有した電気掃除機においては、電源コードを引き出す操作によって、電源コードの巻き取り機構の回転をクラッチ機構などを解して介して集塵フィルターへ除塵振動を伝達する構成のものであった（例えば、特許文献１、特許文献２参照）。
【特許文献１】特開昭５７−１１２８４０号公報
【特許文献２】特開昭５８−６５１２７号公報
【発明の開示】
【発明が解決しようとする課題】
【０００３】
しかしながら、上記従来の塵埃捕集手段を加振することにより除塵する除塵手段を有する電気掃除機においては、電源コードの引き出し操作による電源コード巻き取り機構の回転を着脱可能な集塵部側へ伝達する構成を、電源コードを巻き取る際の抵抗を小さくし、巻き取り性を良好にするため、電源コードを引き出す際にだけ塵埃捕集手段に加振力を伝達させるクラッチ機構が必要かつ複雑となり、また本体部の排気のタイト性も劣る等の欠点があった。
【０００４】
本発明は上記課題を解決するもので、簡素化した構造かつ低コストで確実に塵埃捕集手段の除塵を実現できる除塵手段を備えた電気掃除機を提供することを目的とする。
【課題を解決するための手段】
【０００５】
上記目的を達成するために、本発明の電気掃除機は、吸引風を発する電動送風機を有する本体と、前記電動送風機の吸気上流側に配設され、旋回気流で粗い塵埃を遠心分離する１次フィルターと前記１次フィルターを通過した微細塵を捕集する集塵フィルターとを有する集塵部と、前記集塵フィルターの除塵を行う除塵手段と、前記電動送風機が発する吸気風が前記集塵フィルターへ作用するのを防止する閉塞手段とを備え、前記集塵フィルターをプリーツ状にするとともに、前記除塵手段はアーム部と突出部を有し、前記突出部が前記集塵フィルターのプリーツを順にたたいて振動を与えることで前記集塵フィルターの除塵を行なうと共に、振動を与えると同時に前記閉塞手段が吸気を閉塞する構成としたもので、簡素化した構造による確実な除塵構造を提供するとともに、吸気風の低下率を抑えて、常に高い吸い込み性能の継続維持できる電気掃除機を提供することができる。
【発明の効果】
【０００６】
本発明の電気掃除機は、確実な除塵構造を提供し、突出部が集塵フィルターのプリーツをたたいた後の塵埃の脱落を容易にすることができる。
【発明を実施するための最良の形態】
【０００７】
第１の発明は、吸引風を発する電動送風機を有する本体と、前記電動送風機の吸気上流側に配設され、旋回気流で粗い塵埃を遠心分離する１次フィルターと前記１次フィルターを通過した微細塵を捕集する集塵フィルターとを有する集塵部と、前記集塵フィルターの除塵を行う除塵手段と、前記電動送風機が発する吸気風が前記集塵フィルターへ作用するのを防止する閉塞手段とを備え、前記集塵フィルターをプリーツ状にするとともに、前記除塵手段はアーム部と突出部を有し、前記突出部が前記集塵フィルターのプリーツを順にたたいて振動を与えることで前記集塵フィルターの除塵を行なうと共に、振動を与えると同時に前記閉塞手段が吸気を閉塞する構成としたもので、簡素化した構造による確実な除塵構造を提供するとともに、吸気風の低下率を抑えて、常に高い吸い込み性能の継続維持できる電気掃除機を提供することができる。また、突出部が集塵フィルターのプリーツをたたいた後の塵埃の脱落を、容易にすることができる。
【０００８】
以下、本発明の実施の形態について、図面を参照しながら説明する。なお、本実施の形態によって本発明が限定されるものではない。
【０００９】
（実施の形態１）
以下、本発明の第１の実施の形態を、図１〜図７を用いて説明する。
【００１０】
図１は電気掃除機全体の構成を示し、電気掃除機は延長管５に取り付けた塵埃を吸引する吸込具６を有し、前記延長管５は、手元操作部２とホース接続部３付きのホース４とを介して掃除機本体１（以下、本体１とする）に連結されている。本体１は、枢支された１個の前輪キャスター７と一対の後輪８とを備えている。
【００１１】
図２に示すように、本体１は、後方部側に電動送風機１２と、手元操作部２の操作により運転動作等を制御するマイクロプロセッサやＩＣメモリ等を実装した制御回路４１、さらにその上方には家庭電源から電力を供給するための電源コード１０を巻き取るためのコードリール１１を備えている。
【００１２】
本体１の前方側には内部が目視できるように透明の集塵部である集塵ケース１８が装着されている。ここで、電動送風機１２を運転すると、吸気力が発生して、ホース４を通じて吸引された空気と塵埃が吸気口２５から集塵ケース１８の通気流路２６を通り、１次フィルター３０を備えた集塵ケース１８内で、１次フィルター３０を中心にした旋回気流で粗い塵埃が遠心分離され、１次フィルター３０を通過した微細塵は後方の集塵フィルター５１で捕らえて、空気だけが集塵フィルター５１後方の吸気部３５を通り、電動送風機１２へと通過する。電動送風機１２を通過した空気は本体１の後方あるいは側面などに設けられた排気口（図示せず）から排出される。次に、図３に示すように、集塵ケース１８内に塵埃が溜り、塵埃を廃棄する際には集塵ケース１８の握り部２７を持ち、先ず本体１から集塵ケース１８を取り外し、図４に示すように集塵ケース１８の蓋体２１を開いて塵埃を排出するものである。
【００１３】
図５に示すように、塵埃捕集手段である集塵フィルター５１は、略平面状で、不織布やろ紙などを山谷に折ることによるプリーツ５２を本体１からの集塵ケース１８の取り出し方向に対して略垂直方向に構成している。プリーツ５２の方向は、本体１からの集塵ケース１８の取り出し方向に対して略並行方向や傾斜角度を持って配置させることも製造上は可能である。
【００１４】
図６は集塵ケース１８を取り外した状態を示す図であり、本体１の吸気部３５の外周側に集塵フィルター５１のプリーツ５２を叩き、振動を与えて除塵するための除塵手段である干渉体５３が、本体１の前壁５４のガイド溝５５から突出して設けられている。干渉体５３は、駆動伝達手段であるアーム３８により、減速機構を備え電力を供給することで駆動する駆動手段であるモータ５７の軸に連結されている。
【００１５】
次に、上記構成における動作、作用について説明する。
【００１６】
図７に示すように、干渉体５３は、駆動伝達手段であるアーム３８により、減速機構を備え電力を供給することで駆動する駆動手段であるモータ５７の軸に連結されており、モータ５７が駆動することによってガイド溝５５に沿って干渉体５３が移動する。この動作によって、図５に示した集塵フィルター５１のプリーツ５２を順にたたき、振動させることによって集塵フィルター５１の塵埃捕集面側に付着した細塵を振るい落とすことが出来る。集塵フィルター５１に細塵が堆積しつづけると、通気抵抗が増大し、すなわち吸い込み性能が低下し十分な掃除性能が発揮できない状態になってしまうが、前述のように集塵フィルター５１の塵埃捕集面側に付着した細塵を振るい落とすことによって、吸い込み性能の低下を防止することができる。図７において、干渉体５３は下方から上方に移動し、また下方に戻る往復動作をおこなう構成である。この動作の制御は、図２に示す制御回路４１でおこなうものである。
【００１７】
そして、干渉体５３を動作させる場合として、電動送風機１２の運転を開始する時、すなわち使用者が掃除を開始し始めた時に、モータ５７に所定時間通電して駆動させて干渉体５３を下方から上方へ移動させ、また、モータ５７の反転方向に通電して干渉体５３を上方から下方へ移動させ、集塵フィルター５１の除塵をおこなうことができる。
【００１８】
使用者が掃除を開始し始めると同時に、集塵フィルター５１の除塵ができて、吸い込み性能の回復をおこない、高い吸い込み性能で使用ができるものである。
【００１９】
また、別の干渉体５３を動作させる場合として、手元操作部２の操作によって電動送風機１２の運転を停止した後に動作させることができる。これによれば、運転停止後、集塵ケースに溜まった塵埃を廃棄する直前に除塵をおこなうので、集塵ケース１８内の全ての塵埃を廃棄することができるものである。
【００２０】
またさらに、別の干渉体５３を動作させる場合として、電動送風機１２の運転中、すなわち使用者が掃除使用中に、定期的にモータ５７を駆動させて集塵フィルター５１の除塵をおこなうことができる。これによれば、掃除使用中頻繁に除塵動作をおこなうことによって、吸い込み性能を回復させて、常に高い吸い込み性能を得ることができるものである。
【００２１】
さらに、別の干渉体５３を動作させる場合を説明する。
【００２２】
集塵ケース１８の集塵フィルター５１に細塵が堆積しつづけると、集塵フィルター５１部の通気抵抗が増大し、すなわち電動送風機１２への吸い込み風量が低下する。電動送風機１２へ流入する空気量が減少すると、電動送風機１２の流入空気による抵抗負荷が減少し、消費電流が減少することになる。そこで、集塵フィルター５１に細塵が堆積してくることによって、電動送風機への流入空気量が減少し、消費電流が減少した状況を図２に示す制御回路４１で検知し、モータ５７を駆動させて、集塵フィルター５１の除塵をおこない、低下してきた吸い込み性能を復帰させるものである。
【００２３】
前述の干渉体を動作させる場合を、制御回路に備えたマイクロプロセッサやＩＣメモリの設定で、動作の時期を組み合わることは当然のことながら可能である。
【００２４】
（実施の形態２）
次に、本発明の第２の実施の形態を、図８と図９を用いて説明する。なお、第１の実施の形態と同一構成部品については同一符号を付してその説明を省略する。
【００２５】
図８において、本体１の前壁５４には電動送風機１２へ通じる縦長スリット状の吸気部４４を複数設けている。前壁５４の電動送風機１２側の面に沿わせて、前記前壁５４の吸気部４４とほぼ同幅のスリット状の孔４７を有する遮閉板４６が、前壁５４の裏面に設けたガイド部６２に左右に摺動自在に保持されている。また、遮閉板４６の下側には干渉体５３を複数個備えて、前壁５４のガイド溝５５から集塵フィルター５１に干渉するように突出させている。遮閉板４６は、腕木６６と軸６５で連結されている。腕木６６は軸４９で前壁５４の裏面に回動自在に固定されており、さらにシャフト６１とも軸５０で回動自在に連結している。シャフト６１は本体１に保持固定されているソレノイド６０の軸コアである。
【００２６】
次に、上記構成における動作、作用について説明する。
【００２７】
例えば、使用者が電動送風機を運転開始した直後に除塵する場合について説明する。図８において、ソレノイド６０に通電されると、シャフト６１が下方向へ押し下げられる。そうすると、軸５０で連結している腕木６６の右側端部が押し下げられ、前壁５４の裏面に回動自在に固定されているため軸６６を中心に回動して、遮閉板４６を右方向へスライド移動させることになる。図９がソレノイド６０に通電して、遮閉板４６を移動させた状態を示している。このとき、干渉体５３も同時に移動しながら、集塵フィルター５１の上下方向に形成したプリーツ５２の山部を乗り越し、プリーツ５２をはじくことによって集塵フィルター５１に振動を伝えて堆積した塵埃を除塵することができる。さらに、遮閉板４６のスリット状の孔４７は、前壁５４の縦長スリット状の吸気部４４と吸気部４４の間の格子部の裏面に位置することになり、吸気部４４は遮閉板４６で塞がれる。これによって、干渉体５３が集塵フィルター５１のプリーツ５２をたたいて振動を与えた瞬間に、吸気を閉塞して空気の流れを無くして、集塵フィルター５１のプリーツ５２をたたいた後の塵埃の落下をしやすくするものである。
【産業上の利用可能性】
【００２８】
以上のように、本発明によれば、簡素化した構造かつ低コストで確実に塵埃捕集手段の除塵を実現できる除塵手段を備えた電気掃除機を提供できる。
【図面の簡単な説明】
【００２９】
【図１】本発明の実施の形態１における電気掃除機の全体外観図
【図２】同電気掃除機本体の側断面図
【図３】同電気掃除機の集塵ケース離脱操作図
【図４】同電気掃除機の集塵ケースからの塵埃廃棄操作図
【図５】同電気掃除機の集塵ケースと集塵フィルターの外観図
【図６】同電気掃除機の集塵ケース離脱状態の外観図
【図７】同電気掃除機の本体部の除塵動作図
【図８】本発明の実施の形態２における本体部の除塵構成図
【図９】同電気掃除機の本体部の除塵動作図
【符号の説明】
【００３０】
１２  電動送風機
１８  集塵ケース（集塵部）
２１  蓋体
３８  アーム（駆動伝達手段）
５１  集塵フィルター（塵埃捕集手段）
５２  プリーツ
５３  干渉体（除塵手段）
５７  モータ（駆動手段）
【図１】
2008055206.tif 000003
【図２】
2008055206.tif 000004
【図３】
2008055206.tif 000005
【図４】
2008055206.tif 000006
【図５】
2008055206.tif 000007
【図６】
2008055206.tif 000008
【図７】
2008055206.tif 000009
【図８】
2008055206.tif 000010
【図９】
2008055206.tif 000011